(57)【要約】【課題】画像処理装置の選択、設定に関する利便性を向上させることのできる画像処理システムを提供する。【解決手段】情報処理装置ＰＣ１と接続される複数の画像処理装置と、使用者に関する情報を格納する格納手段（使用者情報格納部１００）と、使用実績に関する情報を取得する取得手段（使用実績取得部１０１）と、格納されている使用者に関する情報と、取得された使用実績に関する情報とを解析する解析手段（解析部１０２）と、解析結果に基づいて、使用者に関する情報に対応した使用実績が存在する機能を抽出する抽出手段（機能抽出部１０３）と、抽出された使用実績が存在する機能を備える画像処理装置が、接続されている画像処理装置の中に存在するか否かを判定する判定手段（判定部１０４）と、判定結果に基づいて、使用する画像処理装置を選択する選択手段（プリンタ選択部１０６）とを備える。【選択図】図２
2010217985.tif 000002
【特許請求の範囲】
【請求項１】
通信手段を介して情報処理装置と接続される複数の画像処理装置と、
前記各画像処理装置の使用者に関する情報を格納する格納手段と、
前記各画像処理装置の使用実績に関する情報を取得する取得手段と、
前記格納手段に格納されている使用者に関する情報と、前記取得手段で取得された前記使用実績に関する情報とを解析する解析手段と、
該解析手段の解析結果に基づいて、前記使用者に関する情報に対応した使用実績が存在する機能を抽出する抽出手段と、
該抽出手段で抽出された前記使用実績が存在する機能を備える画像処理装置が、前記通信手段を介して接続されている前記画像処理装置の中に存在するか否かを判定する判定手段と、
該判定手段による判定結果に基づいて、使用する画像処理装置を選択する選択手段と、
を備えることを特徴とする画像処理システム。
【請求項２】
前記抽出手段で抽出された前記使用実績が存在する機能について、優先度を設定する優先度設定手段を備え、
前記選択手段は、
前記優先度設定手段で設定された優先度を勘案して使用する画像処理装置を選択することを特徴とする請求項１に記載の画像処理システム。
【請求項３】
前記画像処理装置の少なくとも一つは、記録媒体に画像形成を行う画像形成装置で構成され、
当該画像形成装置は、前記使用実績に関する情報を記憶する記憶手段を備えることを特徴とする請求項１または請求項２の何れかに記載の画像処理システム。
【請求項４】
前記使用実績に関する情報は、印刷属性に関する情報を含むことを特徴とする請求項３に記載の画像処理システム。
【請求項５】
前記印刷属性に関する情報は、用紙サイズ、カラー印刷機能、両面印刷機能、オプション機能の何れかに関する情報の何れかを含むことを特徴とする請求項４に記載の画像処理システム。
【請求項６】
前記抽出手段で抽出された前記使用実績が存在する機能について、前記使用者毎の使用頻度を算出する算出手段と、
該算出手段で算出された使用頻度に基づいて、前記使用実績が存在する機能に関する設定を前記画像処理装置の少なくとも一つに対して行う設定手段と、
をさらに備えることを特徴とする請求項１から請求項５の何れかに記載の画像処理システム。
【請求項７】
使用者に関する情報を格納する格納手段と、
使用実績に関する情報を取得する取得手段と、
前記格納手段に格納されている使用者に関する情報と、前記取得手段で取得された前記使用実績に関する情報とを解析する解析手段と、
該解析手段の解析結果に基づいて、前記使用者に関する情報に対応した使用実績が存在する機能を抽出する抽出手段と、
該抽出手段で抽出された前記使用実績が存在する機能を備える画像処理装置が、前記通信手段を介して接続されている前記画像処理装置の中に存在するか否かを判定する判定手段と、
該判定手段による判定結果に基づいて、使用する画像処理装置を選択する選択手段と、
を少なくとも備えることを特徴とする情報処理装置。
【請求項８】
複数の画像処理装置の使用者に関する情報を取得する使用者に関する情報取得過程と、
各画像処理装置の使用実績に関する情報を取得する使用実績取得過程と、
取得された前記使用者に関する情報と、前記使用実績に関する情報とを解析する解析過程と、
該解析過程による解析結果に基づいて、前記使用者に関する情報に対応した使用実績が存在する機能を抽出する抽出過程と、
抽出された前記使用実績が存在する機能を備える画像処理装置が、通信手段を介して接続されている画像処理装置の中に存在するか否かを判定する判定過程と、
判定結果に基づいて、使用する画像処理装置を選択する選択過程と、
を演算手段に実行させることを特徴とする処理プログラム。
【発明の詳細な説明】
【技術分野】
【０００１】
本発明は、画像処理システム、情報処理装置および処理プログラムに関するものである。
【背景技術】
【０００２】
一般的に、パーソナルコンピュータ等の情報処理装置（端末装置）で、プリンタ等のデバイス（画像処理装置）を利用する画像処理システムにおいては、情報処理装置にプリンタドライバ等のデバイスドライバをインストールする必要がある。
【０００３】
このようなデバイスドライバのインストールに際して、複数のデバイスがＬＡＮ等の通信手段上に設置されている場合に、インストールプログラムが通信手段上のデバイスを検索し、複数のデバイスが検出された場合には、それらをリスト表示し、使用者に選択させる構成が周知である。
【０００４】
このような構成においては、使用者がデバイスを選択する際には、デバイスの機種名や通信手段上のアドレス情報（例えば、ＩＰアドレスなど）を事前に認識しておく必要がある。
【０００５】
関連する技術として、例えば、特開２００１−９２７６５号公報では、クライアント装置が持つマップ情報とデバイスが持つ位置情報および属性情報を利用して、使用者が希望する位置情報および属性情報をサーバにインプットすると、サーバ上のデータベースから希望に沿ったデバイスを検出する技術が開示されている。
【特許文献１】特開２００１−９２７６５号公報
【発明の開示】
【発明が解決しようとする課題】
【０００６】
本発明は、画像処理装置の選択および設定に関する利便性を向上させることのできる画像処理システム、情報処理装置および処理プログラムを提供することを目的とする。
【課題を解決するための手段】
【０００７】
前記課題を解決するため、請求項１の発明に係る画像処理システムは、通信手段を介して情報処理装置と接続される複数の画像処理装置と、前記各画像処理装置の使用者に関する情報を格納する格納手段と、前記各画像処理装置の使用実績に関する情報を取得する取得手段と、前記格納手段に格納されている使用者に関する情報と、前記取得手段で取得された前記使用実績に関する情報とを解析する解析手段と、該解析手段の解析結果に基づいて、前記使用者に関する情報に対応した使用実績が存在する機能を抽出する抽出手段と、該抽出手段で抽出された前記使用実績が存在する機能を備える画像処理装置が、前記通信手段を介して接続されている前記画像処理装置の中に存在するか否かを判定する判定手段と、該判定手段による判定結果に基づいて、使用する画像処理装置を選択する選択手段とを備えることを特徴とする。
【０００８】
請求項２の発明に係る画像処理システムは、前記抽出手段で抽出された前記使用実績が存在する機能について、優先度を設定する優先度設定手段を備え、前記選択手段は、前記優先度設定手段で設定された優先度を勘案して使用する画像処理装置を選択することを特徴とする。
【０００９】
請求項３の発明に係る画像処理システムは、前記画像処理装置の少なくとも一つは、記録媒体に画像形成を行う画像形成装置で構成され、当該画像形成装置は、前記使用実績に関する情報を記憶する記憶手段を備えることを特徴とする。
【００１０】
請求項４の発明に係る画像処理システムは、前記使用実績に関する情報は、印刷属性に関する情報を含むことを特徴とする。
【００１１】
請求項５の発明に係る画像処理システムは、前記印刷属性に関する情報は、用紙サイズ、カラー印刷機能、両面印刷機能、オプション機能の何れかに関する情報の何れかを含むことを特徴とする。
【００１２】
請求項６の発明に係る画像処理システムは、前記抽出手段で抽出された前記使用実績が存在する機能について、前記使用者毎の使用頻度を算出する算出手段と、該算出手段で算出された使用頻度に基づいて、前記使用実績が存在する機能に関する設定を前記画像処理装置の少なくとも一つに対して行う設定手段とをさらに備えることを特徴とする。
【００１３】
請求項７の発明に係る情報処理装置は、使用者に関する情報を格納する格納手段と、使用実績に関する情報を取得する取得手段と、前記格納手段に格納されている使用者に関する情報と、前記取得手段で取得された前記使用実績に関する情報とを解析する解析手段と、該解析手段の解析結果に基づいて、前記使用者に関する情報に対応した使用実績が存在する機能を抽出する抽出手段と、該抽出手段で抽出された前記使用実績が存在する機能を備える画像処理装置が、前記通信手段を介して接続されている前記画像処理装置の中に存在するか否かを判定する判定手段と、該判定手段による判定結果に基づいて、使用する画像処理装置を選択する選択手段とを少なくとも備えることを特徴とする。
【００１４】
請求項８の発明に係る処理プログラムは、複数の画像処理装置の使用者に関する情報を取得する使用者に関する情報取得過程と、各画像処理装置の使用実績に関する情報を取得する使用実績取得過程と、取得された前記使用者に関する情報と、前記使用実績に関する情報とを解析する解析過程と、該解析過程による解析結果に基づいて、前記使用者に関する情報に対応した使用実績が存在する機能を抽出する抽出過程とを演算手段に実行させることを特徴とする。
【発明の効果】
【００１５】
本発明によれば以下の効果を奏することができる。
【００１６】
すなわち、請求項１に記載の発明によれば、本構成を有していない場合に比較して、画像処理装置の選択に関する利便性を向上させることができるという効果がある。
【００１７】
請求項２に記載の発明によれば、本構成を有していない場合に比較して、画像処理装置の選択に関する利便性をより向上させることができる。
【００１８】
請求項３に記載の発明によれば、本構成を有していない場合に比較して、画像処理装置としての画像形成装置の選択に関する利便性をより向上させることができる。
【００１９】
請求項４に記載の発明によれば、本構成を有していない場合に比較して、画像処理装置としての画像形成装置の選択に関する利便性をより向上させることができる。
【００２０】
請求項５に記載の発明によれば、本構成を有していない場合に比較して、画像処理装置としての画像形成装置の選択に関する利便性をより向上させることができる。
【００２１】
請求項６に記載の発明によれば、本構成を有していない場合に比較して、画像処理装置の設定に関する利便性を向上させることができる。
【００２２】
請求項７に記載の発明によれば、本構成を有していない場合に比較して、画像処理装置の選択に関する利便性を向上させることができるという効果がある。
【００２３】
請求項８に記載の発明によれば、本構成を有していない場合に比較して、画像処理装置の選択に関する利便性を向上させることができるという効果がある。
【発明を実施するための最良の形態】
【００２４】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２５】
（第１の実施の形態）
【００２６】
図１から図８を参照して、本発明についての第１の実施の形態に係る画像処理システムＳ１について説明する。
【００２７】
図１から図３に示すように、画像処理システムＳ１は、ＬＡＮ等のネットワークＮを介して接続されるパーソナルコンピュータ等で構成される情報処理装置（端末装置）ＰＣ１と、ネットワークＮを介して情報処理装置ＰＣ１と接続されて画像形成（印刷）に関する画像処理を行うプリンタＰＲ１〜ＰＲｎ（画像処理装置あるいは画像形成装置の一例：なお、ｎは整数）と、画像読み取りを行うスキャナＳＣ１（画像処理装置の一例）と、各種情報を格納するサーバＳＡ１とから構成されている。
【００２８】
なお、図２および図３において、情報処理装置ＰＣ１およびプリンタＰＲ１〜ＰＲｎについて、本発明と直接関係しない構成については図示および説明を省略する。
【００２９】
また、本実施の形態では、プリンタ、情報処理装置、スキャナおよびサーバの接続台数は特には限定されず、任意の台数を接続する場合であってもよい。
【００３０】
プリンタＰＲ１〜ＰＲｎの印刷方式は、特には限定されず、レーザプリンタ、フルカラープリンタ、複合機、インクジェット方式のプリンタ等の何れであってもよい。
【００３１】
プリンタＰＲ１〜ＰＲｎは、印刷履歴データベース等を格納する不揮発性メモリやハードディスク装置等で構成される使用実績記憶部（印刷履歴データベース部）２００（記憶手段の一例）を備えている。
【００３２】
また、印刷履歴データベース等から読み出された使用実績のデータをネットワークＮを介して情報処理装置ＰＣ１に送信する使用実績送信モジュール２０１を備えている。
【００３３】
情報処理装置ＰＣ１は、各プリンタＰＲ１〜ＰＲｎの使用者（ユーザ）に関する情報を格納する不揮発性メモリやハードディスク装置等で構成される使用者情報格納部１００（格納手段の一例）と、各プリンタＰＲ１〜ＰＲｎの使用実績に関する情報を各プリンタＰＲ１〜ＰＲｎの使用実績記憶部（印刷履歴データベース部）２００および使用実績送信モジュール２０１を介して取得する使用実績取得部１０１（取得手段の一例）と、使用者情報格納部１００に格納されている使用者に関する情報と、使用実績取得部１０１で取得された使用実績に関する情報とを解析する解析部１０２（解析手段の一例）と、解析部１０２の解析結果に基づいて、使用者に関する情報に対応した使用実績が存在する機能を抽出する機能抽出部１０３（抽出手段の一例）と、機能抽出部１０３で抽出された使用実績が存在する機能を備えるプリンタが、ネットワークＮを介して接続されているプリンタＰＲ１〜ＰＲｎの中に存在するか否かを判定する判定部１０４（判定手段の一例）と、判定部１０４による判定結果に基づいて、使用するプリンタＰＲ１〜ＰＲｎを選択するプリンタ選択部１０６（選択手段の一例）と、機能抽出部１０３で抽出された使用実績が存在する機能について、使用者毎の使用頻度を算出する使用頻度算出部１０７（算出手段の一例）と、使用頻度算出部１０７で算出された使用頻度に基づいて、使用実績が存在する機能に関する設定をプリンタＰＲ１〜ＰＲｎの少なくとも一つに対して行うプリンタ設定部１０８（設定手段の一例）と、使用実績が存在する機能について優先度を設定する優先度設定部１０５（優先度設定の一例）とを備える。
【００３４】
使用実績に関する情報は、印刷属性に関する情報を含むようにできる。
【００３５】
印刷属性に関する情報としては、特には限定されないが、用紙サイズ、カラー印刷機能、両面印刷機能、オプション機能（例えば、ステープル機能、製本機能など）の何れかに関する情報の何れかを含むようにできる。
【００３６】
また、使用者に関する情報は、プリンタ名、アカウント名、ＩＰアドレスを含むようにできる。
【００３７】
なお、選択部１０６は、判定結果に基づいて自動的にプリンタＰＲ１〜ＰＲｎの何れかを選択し、設定を行ってもよいし、判定結果に基づいて一つ以上のプリンタをリストアップして、情報処理装置ＰＣ１の表示装置に表示させて、ユーザに選択させ、所望の設定を行うようにしてもよい。
【００３８】
これにより、プリンタの選択および設定に関する利便性が向上される。
【００３９】
なお、プリンタＰＲ１〜ＰＲｎと同様に、使用実績記憶部等を備える複数台のスキャナやファクシミリ装置等の画像処理装置をネットワークＮに接続し、情報処理装置ＰＣ１によって、選択および設定を行うようにすることも可能である。
【００４０】
これにより、画像処理装置の選択および設定に関する利便性が向上される。
【００４１】
また、使用者情報を情報処理装置ＰＣ１の使用者情報格納部１００に代えて、サーバＳＡ１に格納するようにしてもよい。また、各プリンタＰＲ１〜ＰＲｎの使用実績記憶部２００に格納されている使用者実績に関する情報をサーバＳＡ１に格納するようにしてもよい。
【００４２】
なお、情報処理装置ＰＣ１において、使用実績取得部１０１は実績要求モジュール、解析部１０２は実績解析モジュール、プリンタ選択部１０６はプリンタ特定モジュール、プリンタ設定部１０８は初期設定モジュールでそれぞれ構成することができる（図３参照）。
モジュールとは、個別のプログラムをいうものとする。
【００４３】
ここで、図４に、印刷履歴データベースの構成例を示す。
【００４４】
図４に示す例では、印刷日時、ユーザ名、ドキュメント名、用紙サイズ、集約印刷、両面印刷等について、各ユーザ（Ａ〜Ｃ）に関する印刷履歴のデータが格納されている。
【００４５】
図５は、解析部１０２によってユーザＡについて、図４に示す印刷履歴データベースの（１）、（４）および（５）の情報に基づいて、使用実績を解析した結果を示す。
【００４６】
図５の例では、用紙サイズ設定機能では、Ａ３サイズ、Ａ４サイズ、はがきサイズを設定した実績の存在が、集約印刷機能では、１枚に１ページ、１枚に２ページを設定した実績の存在が、両面印刷機能では、片面印刷のほかに、長辺綴じでの両面印刷を設定した実績が存在することが示されている。
【００４７】
ここで、図６のフローチャートを参照して、上記構成の画像処理システムＳ１で実行されるプリンタ選択処理の処理手順について説明する。
【００４８】
まず、ステップＳ１００で、情報処理装置ＰＣ１から使用者に関する情報を取得する。
【００４９】
次いで、取得した後、ステップＳ１０１で、プリンタＰＲ１〜ＰＲｎに対して、使用実績に関する情報を要求する。
【００５０】
プリンタＰＲ１〜ＰＲｎからは印刷履歴データベースの内容情報が送信され、ステップＳ１０２で情報処理装置ＰＣ１はその情報を取得する。
【００５１】
取得した使用実績は、前出の図４のように表示される。
【００５２】
次いで、ステップＳ１０３で、取得した使用実績情報を解析し、使用者に関する情報に該当する使用実績から使用している機能とその機能に対してどのような設定を選択したかが抽出される。
【００５３】
抽出された結果は、前出の図５のように表示される。
【００５４】
次いで、ステップＳ１０４では、抽出した各機能、各設定について、ネットワークＮ上のプリンタＰＲ１〜ＰＲｎがそれらを設定可能かどうかを確認し、ステップＳ１０５で設定可能なデバイスのみを選択して表示して処理を終了する。
【００５５】
これにより、ユーザは、使用したい機能が存在するプリンタを容易に選択することが可能となり、利便性が向上される。
【００５６】
次に、図７は、解析部１０２によるユーザＡについての解析結果の他の例を示す。
【００５７】
図７に示す例では、ユーザＡが印刷時に使用した機能と設定の頻度が示されてる。
【００５８】
例えば、使用実績として、用紙サイズ設定機能では、Ａ４サイズの指定の頻度が２８回と最も高くなっていることが分かる。
【００５９】
また、集約印刷機能では、１枚に１ページの指定の頻度が３０回と最も高くなっていることが分かる。
【００６０】
また、両面印刷機能では、片面の指定の頻度が２４回と最も高くなっていることが分かる。
【００６１】
ここで、図８のフローチャートを参照して、図７に示す解析結果を用いたプリンタ設定処理の処理手順について説明する。
【００６２】
まず、ステップＳ２００で、情報処理装置ＰＣ１から使用者に関する情報を取得する。
【００６３】
次いで、取得した後、ステップＳ２０１で、プリンタＰＲ１〜ＰＲｎに対して、使用実績に関する情報を要求する。
【００６４】
プリンタＰＲ１〜ＰＲｎからは印刷履歴データベースの内容情報が送信され、ステップＳ２０２で情報処理装置ＰＣ１はその情報を取得する。
【００６５】
取得した使用実績は、前出の図４のように表示される。
【００６６】
次いで、ステップＳ２０３で、取得した使用実績情報を解析し、使用者に関する情報に該当する使用実績から使用している機能とその機能に対してどのような設定を選択したかが抽出される。
【００６７】
ステップＳ２０４では、抽出した設定が指定された回数をカウントし、指定頻度の高い設定を抽出する。
【００６８】
抽出された結果は、前出の図７のように表示される。
【００６９】
次いで、ステップＳ２０５では、抽出した各機能、各設定について、ネットワークＮ上のプリンタＰＲ１〜ＰＲｎがそれらを設定可能かどうか確認し、ステップＳ２０６で設定可能なデバイスのみを選択して表示する。
【００７０】
そして、ユーザが、使用したい機能が存在するプリンタを選択すると、対応するプリンタドライバが情報処理装置ＰＣ１にインストールされ、ステップＳ２０７で、インストールが完了した後に、そのプリンタに対して、抽出された使用頻度の高い設定を各機能に設定して処理を終了する。
【００７１】
これにより、ユーザは、使用したい機能が存在するプリンタを容易に選択して、使用頻度が高い機能に関する初期設定を容易に行うことが可能となり、利便性が向上される。
【００７２】
（第２の実施の形態）
【００７３】
図９から図１１を参照して、本発明についての第２の実施の形態に係る画像処理システムＳ２について説明する。
【００７４】
第１の実施の形態に係る画像処理システムＳ１と、第２の実施の形態に係る画像処理システムＳ２との相違点は、図３と図９を比較すると分かるように、画像処理システムＳ１では、各プリンタＰＲ１〜ＰＲｎに設けられていた印刷履歴データベース部（使用実績記憶部）２００が、画像処理システムＳ２では、情報処理装置ＰＣ２に設けられている点である。
【００７５】
これにより、各プリンタＰＲ１〜ＰＲｎに対して、使用実績を要求する手間と処理時間を省くことができる。
【００７６】
ここで、図１０のフローチャートを参照して、上記構成の画像処理システムＳ２で実行されるプリンタ選択処理の処理手順について説明する。
【００７７】
まず、ステップＳ３００で、情報処理装置ＰＣ１から使用者に関する情報を取得する。
【００７８】
次いで、ステップＳ３０１で、印刷履歴データベースから取得した使用実績情報を解析し、使用者に関する情報に該当する使用実績から使用している機能とその機能に対してどのような設定を選択したかが抽出される。
【００７９】
抽出された結果は、前出の図５のように表示される。
【００８０】
次いで、ステップＳ３０２では、抽出した各機能、各設定について、ネットワークＮ上のプリンタＰＲ１〜ＰＲｎがそれらを設定可能かどうかを確認し、ステップＳ３０３で設定可能なデバイスのみを選択して表示して処理を終了する。
【００８１】
これにより、ユーザは、使用したい機能が存在するプリンタをより容易に選択することが可能となり、利便性が向上される。
【００８２】
次に、図１１のフローチャートを参照して、解析結果を用いたプリンタ設定処理の処理手順について説明する。
【００８３】
まず、ステップＳ４００で、情報処理装置ＰＣ１から使用者に関する情報を取得する。
【００８４】
次いで、ステップＳ４０１で、印刷履歴データベースから取得した使用実績情報を解析し、使用者に関する情報に該当する使用実績から使用している機能とその機能に対してどのような設定を選択したかが抽出される。
【００８５】
ステップＳ４０２では、抽出した設定が指定された回数をカウントし、指定頻度の高い設定を抽出する。
【００８６】
抽出された結果は、前出の図７のように表示される。
【００８７】
次いで、ステップＳ４０３では、抽出した各機能、各設定について、ネットワークＮ上のプリンタＰＲ１〜ＰＲｎがそれらを設定可能かどうか確認し、ステップＳ４０４で設定可能なデバイスのみを選択して表示する。
【００８８】
そして、ユーザが、使用したい機能が存在するプリンタを選択すると、対応するプリンタドライバが情報処理装置ＰＣ２にインストールされ、ステップＳ４０５で、インストールが完了した後に、そのプリンタに対して、抽出された使用頻度の高い設定を各機能に設定して処理を終了する。
【００８９】
これにより、ユーザは、使用したい機能が存在するプリンタを容易に選択して、使用頻度が高い機能に関する初期設定を容易に行うことが可能となり、利便性が向上される。
【００９０】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００９１】
また、プログラムを用いる場合には、通信手段を介して提供し、或いはＣＤ−ＲＯＭ等の記録媒体に格納して提供することが可能である。
【００９２】
即ち、画像処理プログラムを含む所定のプログラムを記録媒体としてのハードディスク等の記憶装置に記録する場合に限らず、当該所定のプログラムを次のようにして提供することも可能である。
【００９３】
例えば、所定のプログラムをＲＯＭに格納しておき、ＣＰＵが、この所定のプログラムをこのＲＯＭから主記憶装置へローディングして実行するようにしてもよい。
【００９４】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【００９５】
さらには、画像処理装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【００９６】
本発明による画像処理システム、情報処理装置および処理プログラムは、複写装置、レーザプリンタ、フルカラープリンタ、複合機、ファクシミリ装置、スキャナ等の画像処理装置およびこれらの装置を用いた画像処理システム等に適用することができる。
【図面の簡単な説明】
【００９７】
【図１】第１の実施の形態に係る画像処理システムＳ１の構成を示す概略構成図である。
【図２】第１の実施の形態に係る画像処理システムＳ１の構成を示す機能ブロック図である。
【図３】第１の実施の形態に係る画像処理システムＳ１の構成例を示すブロック図である。
【図４】印刷履歴データベースの構成例を示す表である。
【図５】使用実績解析結果の例を示す表である。
【図６】プリンタ選択処理の処理手順を示すフローチャートである。
【図７】使用実績解析結果の他の例を示す表である。
【図８】プリンタ設定処理の処理手順を示すフローチャートである。
【図９】第２の実施の形態に係る画像処理システムＳ２の構成例を示すブロック図である。
【図１０】プリンタ選択処理の処理手順を示すフローチャートである。
【図１１】プリンタ設定処理の処理手順を示すフローチャートである。
【符号の説明】
【００９８】
Ｓ１、Ｓ２  画像処理システム
ＰＣ１、ＰＣ２  情報処理装置
ＰＲ１〜ＰＲｎ  プリンタ
ＳＣ１  スキャナ
ＳＡ１  サーバ
Ｎ  ネットワーク
１００  使用者情報格納部
１０１  使用実績取得部
１０２  解析部
１０３  機能抽出部
１０４  判定部
１０５  優先度設定部
１０６  プリンタ選択部
１０７  使用頻度算出部
１０８  プリンタ設定部
２００  使用実績記憶部
２０１  使用実績送信モジュール
【図１】
2010217985.tif 000003
【図２】
2010217985.tif 000004
【図３】
2010217985.tif 000005
【図４】
2010217985.tif 000006
【図５】
2010217985.tif 000007
【図６】
2010217985.tif 000008
【図７】
2010217985.tif 000009
【図８】
2010217985.tif 000010
【図９】
2010217985.tif 000011
【図１０】
2010217985.tif 000012
【図１１】
2010217985.tif 000013